(57)【要約】【課題】情報利用者はインターネットに接続して、一つの情報を得るのに不必要な情報を数多く提供され不愉快さと無駄な時間を要していた。また大手の情報提供者にビジネスチャンスが多くあり、弱小の情報提供者には厳しい経営環境である。情報利用者が使用するコンピュータの価値のなかったスクリーンセーバ画面を情報提供の画面として提供する。【解決手段】インターネット回線を使用して個人専用の情報を提供する契約方式と情報提供方式、情報提供方式はメールでの送信方式とし、情報表示はスクリーンセーバに表示をし、スクリーンセーバ表示用ソフトをコンピュータに具備する。【選択図】              図２
2004157705.tif 000002
【特許請求の範囲】
【請求項１】
インターネット回線を使用して個人専用の情報を提供する契約方式と情報提供方式を特徴とするインターネット個人情報提供システム。
【請求項２】
上記情報提供方式はメールで送信を特徴とする請求項１記載のインターネット個人情報提供システム。
【請求項３】
上記情報提供方式はスクリーンセーバに表示を特徴とする請求項１記載のインターネット個人情報提供システム。
【請求項４】
上記情報提供方式はスクリーンセーバ表示用ソフトをコンピュータに組み込むことを特徴とする請求項１記載のインターネット個人情報提供システム。
【発明の詳細な説明】
【０００１】
【発明の属する技術分野】
この発明は、インターネット回線を介して情報を得るシステムに関し、詳しくは、個人の知りたい専用の情報を契約によって事前に取り決め、提供するようにしたインターネット個人情報提供システムに関する。
【０００２】
【従来の技術】
近年、インターネットが急速に進歩し職場から家庭へと広がり活用されている。
ところで、従来、インターネットから情報を得るには情報提供者のウェブページを開き、そこに記載されている各種のコンテンツから情報を得ていた。
ヤフーなどがその代表的な情報提供者で知られている。
【０００３】
【発明が解決しようとする課題】
しかし、従来の情報発信方法においては以下の問題があった。
（１）情報利用者はインターネットに接続して、まず情報提供者のウェブページを開き、各種のコンテンツ４から自分の希望する情報項目を選ぶが、直ちに自分の希望する情報を得ることは難しく、ほとんどの場合、ウェブサイト運営者のサイトから他のサイトへ閲覧先を移動させられ数箇所のサイトを経てやっと目的の情報にたどり着く、サイト運営者は情報をできるだけ多く提供したいが、提供情報が多くなると、設備を大型化せざるを得ず、データメンテナンスの困難さも伴うためにこのようにサイト運営者のサイトから閲覧先をリンクにより移動させられるようになっている。情報利用者は一つの情報を得るのに不必要な情報を数多く提供され不愉快さと無駄な時間を要していた。検索技術が乏しい情報利用者はリンクに張られたサイトを移動させられただけで目的の情報が得られないことも多く起こっている。
これらは、汎用の検索エンジンで情報提供者のホームページが検索されても提供される情報の画一性や情報量の少なさ情報作成スキルの乏しさなどが原因である。
（２）情報提供者の収入はウェブページに表示するスポンサーの広告費用やインターネットを利用した商品を販売するモールやオンラインストア、種々サービスの予約を行うビジネスなどで賄われている、そのため大手の情報提供者にはリンクが多く張られてスポンサー等とも契約しやすいが、弱小の情報提供者にはスポンサーもリンクも張りに難く経営を圧迫している。
（３）情報利用者が使用するコンピュータのモニター画面は長時間表示したままでいると焼く付けを起こす問題がある、そのため自動的の画面を暗くしたり動き回るパターン画面を表示するスクリーンセーバが組み込まれている。
しかしスクリーンセーバ画面は何ら情報を発信しない価値のない画面である。
そこで、この発明は、情報利用者の希望する情報を情報提供者との契約によって定期的にスクリーンセーバの画面上で提供することを目的とする。即ち価値のなかったスクリーンセーバ画面を情報提供の画面として利用することである。
【０００４】
【課題を解決するための手段】
上記目的を達成するため、請求項１記載の発明は、インターネット回線を使用して個人専用の情報を提供する契約方式と情報提供方式を特徴とする。
また、請求項２記載の発明は、請求項１記載の発明において、上記情報提供方式はメールで送信を特徴とする。
また、請求項３記載の発明は、請求項１記載の発明において、上記情報提供方式はスクリーンセーバに表示を特徴とする。
また、請求項４記載の発明は、請求項１記載の発明において、上記情報提供方式はスクリーンセーバ表示用ソフトをコンピュータに組み込むことを特徴とする。
【０００５】
【発明の実施形態】
以下、この発明に係わるインターネット個人情報提供システムの形態を添付図面を参照して詳細に説明する。
図１は、この発明に係わるインターネット個人情報提供システムの実施形態を示す概略の図である。
また、図２は、図１に示したインターネット個人情報提供システムの情報利用者と情報提供者のシステムの構成図である。
また、図３は、図２に示したインターネット個人情報提供システムの情報提供の事例図である。
図１において、インターネットを利用して情報を提供するための全体の様子を表している。情報を提供する情報提供者２のサーバ（コンピュータ２ａ）と情報を利用する情報利用者１（コンピュータ１ａ）はウェブサイト３で結ばれている。図２において、まず情報利用者１は情報提供者２に希望する詳細の情報内容を伝える、情報の内容に応じた見積金額が情報提供者２から情報利用者１に伝えられる、情報利用者１がこの金額に納得すれば契約が締結される。即ち本契約は提供する情報の内容に応じて契約金額を決めると言う、従来の画一化された料金形態式ではなく情報利用者の希望する情報内容に応じた金額提示をしてネゴ交渉によって金額を決定すると言う特徴を有する。上記契約交渉は全てインターネット回線を使って交渉される。契約が締結されると契約金額が情報利用者１から情報提供者２に支払われる。支払方法は情報の内容に応じて毎月定期的に支払ったり、情報が提供される前に支払ったりと交渉によって決められる。契約に準じた情報が情報提供者２から情報利用者１に例えば図３のような専用情報５で情報が提供される。情報提供方法は例えばマイクロソフトのアウトルックのＥ−ｍａｉｌ送信ソフト６によって添付メール７が情報利用者１のコンピュータ１ａに自動的にメモリー８に保管される。情報利用者１のコンピュータ１ａはスクリーンセーバ画面１０に変わるとき、専用のスクリーンセーバソフト９が自動的に立ち上がり情報利用者１のコンピュータ１ａにメモリー８に保管され添付メール７の情報がスクリーンセーバ画面１０として表示される。
【０００６】
【実施例】
【０００７】
【発明の効果】
以上説明したようにこの発明のインターネット個人情報提供システムによれば、情報利用者が希望する詳細の専用情報を事前の交渉によって金額や支払方法を取り決め、情報利用者は自分だけの情報を受け取ることができる。また情報提供者は規模の大小に関係なく情報の正確さや内容に応じて報酬を受け取ることができる。インターネット情報サービス事業の産業発展に寄与することができる。また、コンピュータのハード面の問題であるモニター画面の焼付け防止に使用するスクリーンセーバ画面を利用することで、従来は無意味な画面が情報画面として活用に資することができるという効果を奏する。
【図面の簡単な説明】
【図１】この発明に係わるインターネット個人情報提供システムの実施形態を示す概略の図である。
【図２】図１に示したインターネット個人情報提供システムの情報利用者と情報提供者のシステムの構成図である。
【図３】図２に示したインターネット個人情報提供システムの情報提供の事例図である。
【符号の説明】
１情報利用者
２情報提供者
３インターネット
４コンテンツ
５専用情報
６Ｅ−ｍａｉｌ送信ソフト
７Ｅ−ｍａｉｌ添付メール
８メモリー
９スクリーンセーバ表示ソフト
１０スクリーンセーバ表示
【図１】
2004157705.tif 000003
【図２】
2004157705.tif 000004
【図３】
2004157705.tif 000005